(57)【要約】【課題】  印鑑ケースの枠体に口金を取付ける作業を簡易なものとして、コストの低減を図ることである。【解決手段】  上側ケース及び下側ケースと、これら上側ケース及び下側ケースの一側縁に設けられる蝶番と、前記上側ケース及び下側ケースの他側縁に設けられる口金とを備える印鑑ケースにおいて、前記口金が上側ケース側に設けられる上側口金部２５ａと、下側ケース側に設けられる下側口金部２５ｂとで構成され、これら口金部２５ａ，２５ｂの先端部において互いに対向する各係合面３３ａ，３３ｂがそれぞれの口金部２５ａ，２５ｂの各軸線３２ａ，３２ｂに対して同一方向に傾斜角度αで傾斜している。【選択図】      図４
2005297375.tif 000002
【特許請求の範囲】
【請求項１】
上側ケース及び下側ケースと、
これら上側ケース及び下側ケースの一側縁に設けられる蝶番と、
前記上側ケース及び下側ケースの他側縁に設けられる口金とを備える印鑑ケースにおいて、
前記口金が上側ケース側に設けられる上側口金部と、下側ケース側に設けられる下側口金部とで構成され、
これら口金部の先端部において互いに対向する各係合面がそれぞれの口金部の各軸線に対して同一方向に傾斜していることを特徴とする印鑑ケース。
【請求項２】
前記口金部の各係合面は、口金部が外れている時に、一方の係合面の内側傾斜端部と、他方の係合面の内側傾斜端部との間に隙間が形成されている請求項１記載の印鑑ケース。
【請求項３】
前記口金部の各係合面は、口金部が外れている時に、一方の係合面の面内に他方の係合面の内側傾斜端部が位置している請求項１記載の印鑑ケース。
【請求項４】
前記上側口金部及び下側口金部が、前記上側ケース及び下側ケースの各フレームにそれぞれ一体成形されている請求項１記載の印鑑ケース。
【発明の詳細な説明】
【技術分野】
【０００１】
本発明は印鑑ケースに係り、特に印鑑ケースの口金部の改良に関するものである。
【背景技術】
【０００２】
従来、この種の印鑑ケースとして、例えば図７及び図８に示したようなものが知られている（特許文献１参照）。この印鑑ケース１は、かまぼこ形の上側ケース２及び下側ケース３からなるケース本体と、上側ケース２及び下側ケース３の一側縁を連結する蝶番４と、蝶番４とは反対側の他側縁に設けられケース本体を開閉自在に閉じる口金５とで構成されている。
【０００３】
前記口金５は、上側ケース２及び下側ケース３の各フレーム８，９にそれぞれロウ付けされる上側口金部５ａと下側口金部５ｂとで構成される。これら上側口金部５ａ及び下側口金部５ｂは、図７及び図９に示したように、それぞれが円柱状の本体部１０ａ，１０ｂと、この本体部１０ａ，１０ｂの後端に連結されたボール部１１ａ，１１ｂとからなる。また、前記本体部１０ａ，１０ｂの先端には、共に本体部１０ａ，１０ｂの長手方向の軸線１２ａ，１２ｂに対して直交する係合面１３ａ，１３ｂが形成されており、さらに、これら係合面１３ａ，１３ｂには、一方の係合面１３ａに膨出部１４が形成され、他方の係合面１３ｂに前記膨出部１４が嵌り込む凹部１５が形成されている。
【特許文献１】特開平０９−１０９５３６号公報
【発明の開示】
【発明が解決しようとする課題】
【０００４】
ところで、前記上側口金部５ａ及び下側口金部５ｂは、各フレーム８，９にロウ付けする際に、互いに位置関係を調整しながら作業が行なわれる。例えば、上側ケース２と下側ケース３とを閉じたときに、両方の口金部５ａ，５ｂの軸線１２ａ，１２ｂが同一直線上で重なるように位置調整したり、また、口金部５ａ，５ｂを係合させたときに、両方の係合面１３ａ，１３ｂ同士が接するような僅かな隙間で対面できるように、位置調整する必要がある。これは、両方の口金部５ａ，５ｂをロウ付けした時に軸線１２ａ，１２ｂがずれていたり、図９（ａ）に示したように、一方の口金部５ａの係合面１３ａと他方の口金部５ｂの係合面１３ｂとの間に距離Ｌ１の重なりが生じていたり、あるいは図９（ｂ）に示すように、一方の係合面１３ａと他方の係合面１３ｂとの間に距離Ｌ２の開きが生じていたりすると、口金部５ａ，５ｂをスムーズに係合させることができなかったり、あるいは係合させても上側ケース２と下側ケース３とがガタ付いてしまう等の問題がある。それ故、従来にあっては、上側口金部５ａと下側口金部５ｂをロウ付けする際に精度の高い取り付けが必要となるために、ロウ付け作業に時間や労力が掛かり、コスト高になってしまうという問題があった。
【０００５】
そこで本発明の目的は、従来のような精度の高いロウ付けを必要とすることなく、口金部を的確に係合できるようにし、印鑑ケースの組立作業を簡易なものとしコストの低減を図ることである。
【課題を解決するための手段】
【０００６】
上記課題を解決するために、本発明に係る印鑑ケースは、これら上側ケース及び下側ケースの一側縁に設けられる蝶番と、前記上側ケース及び下側ケースの他側縁に設けられる口金とを備える印鑑ケースにおいて、前記口金が上側ケース側に設けられる上側口金部と、下側ケース側に設けられる下側口金部とで構成され、これら口金部の先端部において互いに対向する各係合面がそれぞれの口金部の各軸線に対して同一方向に傾斜していることを特徴とする。
【発明の効果】
【０００７】
本発明に係る印鑑ケースは、上側口金部と下側口金部の各係合面を傾斜させ、この傾斜面に沿って係合させることができるので、従来のような精度の高いロウ付けを必要としない。そのために、口金部の枠体への一体成形が可能となり、印鑑ケースの組立て作業を簡素化できると共に大幅なコストの削減が図られる。
【発明を実施するための最良の形態】
【０００８】
以下、添付図面に基づいて、本発明に係る印鑑ケースを実施するための最良の形態を説明する。図１は、本発明に係る印鑑ケースを開けた時の斜視図、図２は印鑑ケースを閉じた時の正面図、図３は印鑑ケースの平面図、図４及び図５は印鑑ケースの口金部を示す拡大図である。
【０００９】
図１乃至図５に示されるように、本発明に係る印鑑ケース２１は、上記で説明した従来例と同様、かまぼこ形状の上側ケース２２及び下側ケース２３からなるケース本体と、上側ケース２２及び下側ケース２３の一側縁を連結する蝶番２４と、この蝶番２４とは反対側の他側縁に設けられケース本体を開閉自在に閉じる口金２５とで構成されている。そして、前記下側ケース２３の内部には印鑑収納部２６と朱肉部２７が設けられ、上側ケース２３の内側は全体が凹設されている。
【００１０】
また、前記口金２５は、上記の従来例と同様、上側ケース２２及び下側ケース２３の各フレーム２８，２９にそれぞれ一体成形される上側口金部２５ａ及び下側口金部２５ｂとで構成される。さらに、これら上側口金部２５ａと下側口金部２５ｂは、それぞれが円柱状の本体部３０ａ，３０ｂと、この本体部３０ａ，３０ｂの後端に連結されたボール部３１ａ，３１ｂとからなるが、従来例とは異なって、各本体部３０ａ，３０ｂの先端に形成される係合面３３ａ，３３ｂは、各本体部３０ａ，３０ｂの長手方向の軸線３２ａ，３２ｂに対して、同一の傾斜角度αで同一方向に傾斜している。この傾斜方向は、図２に示したように、印鑑ケース２１を正面から見たときに、口金２５の中央部分に右上から左下に向かう一本の斜めの筋３４として現われるように、上下の口金部２５ａ，２５ｂを互いに開閉できるような方向に形成されている。なお、傾斜角度αの大きさは、特に限定されるものではなく、適宜決めることができる。
【００１１】
上記本体部３０ａ，３０ｂの各係合面３３ａ，３３ｂには、従来例と同様、一方の係合面３３ａに膨出部３５が形成され、他方の係合面３３ｂに前記膨出部３５が嵌り込む凹部３６が形成されているが、この実施形態における膨出部３５は、係合面３３ａの傾斜に応じてやや下向きに形成されている。なお、膨出部３５が係合面３３ａの全体に形成される場合や、凹部３６が係合面３３ｂの全体に形成される場合もある。
【００１２】
この実施形態における特徴の一つに、上側口金部２５ａと下側口金部２５ｂとの取付位置関係がある。図４に示したように、上側口金部２５ａの係合面３３ａの外側傾斜端部４０に対して、下側口金部２５ｂの係合面３３ｂの内側傾斜端部４１が距離Ｌ３だけ内側に入り込んだ位置にある。即ち、図５に示したように、上側口金部２５ａの軸線３２ａと下側口金部２５ｂの軸線３２ｂを一致させた時に、仮想線で示したように、上側口金部２５ａ側に下側口金部２５ｂが距離Ｌ３だけ食い込むような位置関係になっている。また、この実施形態では、下側口金部２５ｂの内側傾斜端部４１が上側口金部２５ａの内側傾斜端部４２より距離Ｌ４だけ外側に位置している。即ち、上側口金部２５ａと下側口金部２５ｂとが外れている時に、下側口金部２５ｂの内側傾斜端部４１から延ばした軸線３２ａと直交する上下線３７が、上側口金具２５ａの係合面３３ａ内に位置することになる。
【００１３】
上側口金部２５ａと下側口金部２５ｂとの取付位置を上記のような関係、即ち、下側口金部２５ｂの内側傾斜端部４１と上側口金部２５ａの外側傾斜端部４０との間に距離Ｌ３を設けたことで、図５に示したように、一方の係合面３３ａの膨出部３５が他方の係合面３３ｂの凹部３６に嵌合した時に、後述する蝶番のバネ力によって係合面３３ａ，３３ｂ同士をぴったりと接触させることができる。また、下側口金部２５ｂの内側傾斜端部４１と上側口金部２５ａの内側傾斜端部４２との間に距離Ｌ４を設けたことで、係合時における両傾斜端部４１，４２の衝突を防ぐことができる他、下側口金部２５ｂの内側傾斜端部４１を上側口金部２５ａの膨出部３５の表面に接触させながら係合方向に移動できる。
【００１４】
この実施形態では、図３に示すように、上記構成からなる口金２５とは反対側に蝶番２４が設けられている。この蝶番２４は、上側ケース２２のフレーム２８に一体成形された上側パイプ４６ａ，４６ｂと、下側ケース２３のフレーム２９に一体成形された下側パイプ４７ａ，４７ｂと、これら上側パイプ４６ａ，４６ｂ及び下側パイプ４７ａ，４７ｂの中を貫通する芯棒４８とを備える。上側パイプ４６ａ，４６ｂ及び下側パイプ４７ａ，４７ｂは交互に配置されており、その中を一本の板バネからなる芯棒４８が１８０度捩れた状態で貫通し、芯棒４８の一端４８ａが下側パイプ４７ａの外側端部に固定され、他端４８ｂが上側パイプ４６ｂの外側端部に固定されている。
【００１５】
前記芯棒４８は、図３に示したように、印鑑ケース２１が閉じている時に全体が捩られた状態にある。そのために、印鑑ケース２１を閉じる場合には、芯棒４８が次第に捩られてバネ力が強くなるので、そのバネ力に抗して上側ケース２２と下側ケース２３とを閉じる方向に押し付けることで、上側口金部２５ａと下側口金部２５ｂとが係合する。一方、閉じた状態にある印鑑ケース２１を開ける場合には、上側口金部２５ａと下側口金部２５ｂの係合を外した後は、芯棒４８が捩れを戻そうとする時のバネ復帰力だけで上側ケース２２が弾性的に開くことになる。
【００１６】
次に、上記印鑑ケース２１を閉じる際の口金２５の作用を図６に基づいて説明する。
【００１７】
図６（ａ）は、上側口金部２５ａと下側口金部２５ｂとの非係合時における位置関係を示したものである。印鑑ケース２１が開いている時にはこのような位置関係を保っている。この時は、上述したように、上側口金部２５ａの係合面３３ａと下側口金部２５ｂの係合面３３ｂとの間に距離Ｌ３，Ｌ４が保たれる。
【００１８】
図６（ｂ）は、上側ケース２２と下側ケース２３とを閉じていくときに、上側口金部２５ａと下側口金部２５ｂとが最初に当る状態を示したものである。この時は、下側口金部２５ｂの内側傾斜端部４１が上側口金部２５ａの膨出部３５の曲面部分に当たる。上記（ａ）で示したように、上側口金部２５ａの内側傾斜端部４２と下側口金部２５ｂの内側傾斜端部４１との間には距離Ｌ４が設けられているので、内側傾斜端部４１，４２同士の衝突を避けることができる。
【００１９】
図６（ｃ）は、上側口金部２５ａと下側口金部２５ｂとをさらに閉じていくときの状態を示したものである。この時、上述した蝶番２４の芯棒４８は次第に捩られてバネ力が強くなっていくので、そのバネ力を保ちながら下側口金部２５ｂが上側口金部２５ａから遠ざかる方向にスライド可能となり、下側口金部２５ｂの係合面３３ｂが上側口金部２５ａの膨出部３５の表面に接しながら移動する。この移動によって、上側口金部２５ａと下側口金部２５ｂとの間は当初より距離Ｌ５だけ広がることになるが、この距離Ｌ５は蝶番２４の上側パイプ４６ａ，４６ｂと下側パイプ４７ａ，４７ｂとの間の隙間によって調整される。
【００２０】
図６（ｄ）は、上側口金部２５ａと下側口金部２５ｂとを係合して印鑑ケース２１を閉じた状態を示す。前記（ｃ）に示した状態からさらに係合方向に移動すると、上側口金部２５ａの膨出部３５が下側口金部２５ｂの凹部３６内に嵌り込むと同時に、前記芯棒４８のバネ力によって上側口金部２５ａと下側口金部２５ｂとが弾性的に接近し、両方の係合面３３ａ，３３ｂを押圧し合うことで両面がぴったりと接するので、係合が確実なものとなってガタツキなどを生ずることがない。
【産業上の利用可能性】
【００２１】
本発明に係る印鑑ケースは、上側口金部と下側口金部の位置関係が従来のように厳密である必要がないので、フレームとの一体成形が可能となり、印鑑ケースの組立作業を簡素化できると共に、コストの低減化が図られる。
【図面の簡単な説明】
【００２２】
【図１】本発明に係る印鑑ケースを開けた時の斜視図である。
【図２】本発明に係る印鑑ケースを閉じた時の正面図である。
【図３】印鑑ケースの蝶番と口金の部分を示す平面図である。
【図４】本発明に係る印鑑ケースの口金部の位置関係を示す説明図である。
【図５】前記口金部を係合させた時の位置関係を示す説明図である。
【図６】前記口金部を係合させていく過程での位置関係を示す説明図である。
【図７】従来の印鑑ケースを閉じた時の正面図である。
【図８】従来の印鑑ケースを閉じた時の側面図である。
【図９】従来の印鑑ケースにおける口金部の位置関係を示す説明図である。
【符号の説明】
【００２３】
２１  印鑑ケース
２２  上側ケース
２３  下側ケース
２４  蝶番
２５  口金
２５ａ  上側口金部
２５ｂ  下側口金部
２８  フレーム
２９  フレーム
３２ａ，３２ｂ  軸線
３３ａ，３３ｂ  係合面
３５  膨出部
３６  凹部
４０  上側口金部の外側傾斜端部
４１  下側口金部の内側傾斜端部
４２  上側口金部の内側傾斜端部
α  傾斜角度
【図１】
2005297375.tif 000003
【図２】
2005297375.tif 000004
【図３】
2005297375.tif 000005
【図４】
2005297375.tif 000006
【図５】
2005297375.tif 000007
【図６】
2005297375.tif 000008
【図７】
2005297375.tif 000009
【図８】
2005297375.tif 000010
【図９】
2005297375.tif 000011